(57)【要約】【課題】十分な肉抜き構造をもったノブを低コストで簡便に実現する。【解決手段】ノブをノブキャップ５１とムービングブロック７０とから構成する。ムービングブロック７０をノブキャップ５１内に挿入し、ノブキャップ５１の開口端である拡径部５６の内面に形成した爪６０をムービングブロック７０の嵌合部７６に形成した係止穴８０に係止させて結合する。ノブキャップ５１の底壁５２の内面には、軸心を中心とする円周上３等分位置に、先端に傾斜面６４を備える突起６３が設けられ、ムービングブロック７０はリング状前壁７１の内周縁の角を傾斜面６４に当接させることにより、ノブキャップ５１と自動的に芯合わせされる。ムービングブロック７０を自由に肉抜きできるとともに、汚れや作業工数を伴う接着剤も用いずに芯合わせされ、かつ軸方向にガタのない一体化したノブ５０が得られる。【選択図】図７
2011040280.tif 000002
【特許請求の範囲】
【請求項１】
底壁と側壁を有するノブキャップと、凹部を有して該ノブキャップの内側に嵌めこまれたムービングブロックとからなり、
前記ノブキャップの側壁の開口端側に径方向内方に向かう爪が設けられるとともに、前記底壁の内面には、前記底壁に対向する前記ムービングブロックの端縁の角に対応する円周上において軸心を囲む少なくとも３位置以上に突起が設けられ、
該突起は前記底壁の内面からの高さが径方向に変化する傾斜面を有し、
前記ムービングブロックは前記ノブキャップの側壁の開口端側の内面に沿う外周面を有し、該外周面には前記爪に対応する係止穴が設けられて、
前記爪が前記係止穴に係止されて前記ノブキャップとムービングブロックが軸方向に一体化するとともに、前記ムービングブロックの端縁の角が前記突起の傾斜面に当接していることを特徴とするノブ。
【請求項２】
前記ノブキャップにはさらに軸心から離間した位置から軸方向に延びる規制ロッドが設けられ、
前記ムービングブロックには前記規制ロッドと周方向に係合する係合部が設けられていることを特徴とする請求項１に記載のノブ。
【請求項３】
固定部材に組みつけられてスイッチ操作するためのノブであって、
底壁と側壁を有するノブキャップと、凹部を有して該ノブキャップの内側に嵌めこまれたムービングブロックとからなり、
前記ノブキャップの側壁の開口端側に径方向内方に向かう爪が設けられるとともに、前記底壁の内面には、前記底壁に対向する前記ムービングブロックの端縁の角に対応する円周上において軸心を囲む３位置に突起が設けられ、
該突起は前記底壁の内面からの高さが径方向に変化する傾斜面を有し、
前記ムービングブロックは前記ノブキャップの側壁の開口端側の内面に沿う外周面を有し、該外周面には前記爪に対応する係止穴が設けられて、
前記爪が前記係止穴に係止されて前記ノブキャップとムービングブロックが軸方向に一体化するとともに、前記ムービングブロックの端縁の角が前記突起の傾斜面に当接しており、
前記ノブキャップにはさらに軸心から離間した位置から軸方向に延びて開口端から突出する規制ロッドが設けられ、
前記ムービングブロックは径方向に膨らんだ膨出部を有して、該膨出部に前記規制ロッドを貫通させる貫通路が設けられて、
前記規制ロッドの先端が、前記ノブキャップを軸周りに所定角度回動させたときに固定部材側のストッパに当接する回動側ストッパを構成することを特徴とするノブ。
【請求項４】
前記ムービングブロックには、前記規制ロッドにおける前記固定部材側のストッパに当接する端とは反対側の端に当接する支持壁が設けてあることを特徴とする請求項３に記載のノブ。
【請求項５】
前記規制ロッドは、前記ノブキャップの軸心を挟んだ対象位置から外れた位置に２本設けてあることを特徴とする請求項３または４に記載のノブ。
【請求項６】
前記ムービングブロックは前記ノブキャップの底壁に対向する端が凹部によりリング状をなしており、
前記端縁の角が前記リング状の端の内周縁の角であり、
前記突起の傾斜面は前記軸心に近づくほど前記底壁からの高さが高くなるように変化していることを特徴とする請求項１から５のいずれか１に記載のノブ。
【発明の詳細な説明】
【技術分野】
【０００１】
本発明は、例えばスイッチ装置の操作部として用いられるノブに関する。
【背景技術】
【０００２】
例えば車両には、走行モードの選択その他の各種機器の駆動や、切替のためのスイッチ装置が設けられている。
スイッチ装置を操作するノブとして、外観に特徴を持たせる目的で、異なる色彩部位を備えたり、あるいは表面処理を行う表側とその裏側の機能部位とを分けるために、裏側のの成形部材であるムービングブロックに対し異なる樹脂材料でさらに表側のノブキャップをモールドして一体としたいわゆる２色モールド構造のものがある。
例えば、図１５に示すような、ムービングブロック１１２の後部の外周面がノブキャップ１１１の後側に連なるようなノブ１１０においてノブキャップ１１１の表面を電気メッキするとき、ノブキャップ１１１をＡＢＳ、ムービングブロック１１２をポリカーボネイトで形成した場合には、通電性の相違によりムービングブロック１１２にはメッキが付きにくく、ノブキャップ１１１にのみメッキされるので、外周面におけるノブキャップ１１１とムービングブロック１１２の境界が明確で美観を損なうことがない。
【発明の概要】
【発明が解決しようとする課題】
【０００３】
図１５のノブ１１０において、ムービングブロック後端の１１４はスイッチ側部材を押圧するための押圧部であり、１１６、１１７はスイッチ側の相手部材を受け入れる機能空間である。
ところで、重量低減、材料費のコスト低減などのため、ノブ内部を肉抜きしようとする場合、ムービングブロック１１２を前側から肉抜きしても、ノブキャップ１１１をモールドする際に溶融状態の材料が肉抜きした空間に流れ込んで埋めてしまうので、後側からしか肉抜きができない。
しかしながら、後側からでは図１５に示す空間１１９、１２０のように狭く薄い空間しか肉抜きできず、肉抜き型に対する十分な抜きテーパを形成できないため、ノブの成形性が悪いという問題があった。
【０００４】
また、ノブキャップ１１１の表面処理として、メッキの代わりに塗装を施す場合には、材料の相違によっては塗料の付着性に大きな差はないので、ムービングブロック１１２にまで塗料が付着して、外周面における塗装されたノブキャップ１１１と非塗装のムービングブロック１１２の明確な境界線を得ることが困難である。この対策としては、塗装を施したくないムービングブロック１１２側にマスキングを施す作業などが必要となり、コストと作業工数を増大させるという問題を招く。
【０００５】
したがって本発明は、上記従来の問題点に鑑み、有効な肉抜きを低コストで簡便に実現できる構造のノブを提供することを目的とする。
【課題を解決するための手段】
【０００６】
このため請求項１の発明は、底壁と側壁を有するノブキャップと、凹部を有して該ノブキャップの内側に嵌めこまれたムービングブロックとからなり、ノブキャップの側壁の開口端側に径方向内方に向かう爪が設けられるとともに、底壁の内面には、その底壁に対向するムービングブロックの端縁の角に対応する円周上において軸心を囲む３位置に突起が設けられ、該突起は底壁の内面からの高さが径方向に変化する傾斜面を有し、ムービングブロックはノブキャップの側壁の開口端側の内面に沿う外周面を有し、該外周面には上記爪に対応する係止穴が設けられて、爪が係止穴に係止されてノブキャップとムービングブロックが軸方向に一体化するとともに、ムービングブロックの端縁の角が突起の傾斜面に当接しているものとした。
【０００７】
請求項２の発明は、ノブキャップにさらに軸心から離間した位置から軸方向に延びる規制ロッドが設けられ、ムービングブロックには規制ロッドと周方向に係合する係合部が設けられているものとした。
請求項３の発明は、固定部材に組みつけられてスイッチ操作するためのノブであって、
請求項１の構成に加えて、さらにノブキャップに軸心から離間した位置から軸方向に延びて開口端から突出する規制ロッドが設けられ、ムービングブロックは径方向に膨らんだ膨出部を有して、該膨出部に規制ロッドを貫通させる貫通路が設けられて、規制ロッドの先端が、ノブキャップを軸周りに所定角度回動させたときに固定部材側のストッパに当接する回動側ストッパを構成するものとした。
請求項４の発明は、請求項３の発明において、さらにムービングブロックには、規制ロッドにおける固定部材側のストッパに当接する端とは反対側の端に当接する支持壁が設けてあるものとした。
【０００８】
また、請求項５の発明は、請求項３または４の発明において、とくに規制ロッドが、ノブキャップの軸心を挟んだ対象位置から外れた位置に２本設けてあるものとした。
請求項６の発明は、上記各請求項の発明において、ノブキャップの底壁に対向するムービングブロックの端が凹部によりリング状をなしており、端縁の角がリング状の端の内周縁の角であり、突起の傾斜面は軸心に近づくほど底壁からの高さが高くなるように変化しているものとした。
【発明の効果】
【０００９】
請求項１の発明によれば、ムービングブロックはその端縁の角が傾斜面に案内されてノブキャップの軸心上に自動的に芯合わせされるとともに、軸方向がガタなくノブキャップと一体になる。
また、ノブキャップとムービングブロックは爪と係止穴の係止により一体化されるので、低コストで製作でき、作業工数も少なくて済む。
ノブキャップとムービングブロックは個別に成形されるので、２色モールドによる一体化の場合とは異なり、ムービングブロックに十分な肉抜きを行うことができ、ノブの軽量化と材料費低減が向上するとともに、例えばノブキャップだけ塗装することが可能であるから、マスキングの必要なしに、非塗装のムービングブロックに対し明確な塗装の境界線が得られる。
【００１０】
請求項２の発明は、規制ロッドと係合部の係合により、ノブキャップに大きな回動操作力が加えられた場合でもムービングブロックに対して空回りするおそれがない。
請求項３の発明によれば、ノブキャップから延びる規制ロッドがムービングブロックを貫通して回動側ストッパとなるので、操作者は回動規制位置をノブキャップから直接感知することができ、ガタのない高い精密感が得られる。
請求項４の発明は、規制ロッドが支持壁８８により裏打ち支持されるので、ノブに過大な回動力が加わった場合でも規制ロッドが破損するおそれがない。
そして請求項５の発明は、ムービングブロックに対するノブキャップの位置決めが容易であるとともに、ノブキャップに加えられた回動力を確実にムービングブロックに伝達することができる。
請求項６の発明は、ムービングブロックの凹部によりリング状に残った部分の内周縁の角を傾斜面に当接させるから、芯合わせ用に別途の穴を設ける必要なしに位置決めができる。
【図面の簡単な説明】
【００１１】
【図１】スイッチ装置の全体構成を示す断面図である。
【図２】ノブキャップの構成を示す図である。
【図３】ノブキャップの構成を示す図である。
【図４】ムービングブロックの構成を示す図である。
【図５】ムービングブロックの構成を示す図である。
【図６】貫通路を示す断面図である。
【図７】ノブキャップとムービングブロックを結合したノブの断面図である。
【図８】ケースの正面図である。
【図９】ストッパ壁まわりの拡大図である。
【図１０】抜け止めストッパを示す図である。
【図１１】ノブとケースの関係を示す正面透視図である。
【図１２】ノブを押し込んだ状態を示す説明図である。
【図１３】クリック機構の作動を示す説明図である。
【図１４】ノブの回動方向におけるスイッチ装置の作動を示す一部断面展開図である。
【図１５】従来例を示す図である。
【発明を実施するための形態】
【００１２】
次に、本発明の実施の形態について説明する。
図１は実施の形態を適用したスイッチ装置の全体構成を示す断面図であり、これにより先ずスイッチ装置の概要を説明する。
スイッチ装置１は、主要部品として、ケース２と、スイッチユニット４０と、ノブ５０とからなり、ノブ５０はケース２に姿勢保持されて操作者側へ突出し、スイッチユニット４０はケース２のノブ５０が突出する側とは反対側に取り付けられている。
以下、ノブ５０が突出している側、すなわち操作者に面する側を前方、または前面とし、スイッチユニット４０が設けられている側を後方とする。
【００１３】
スイッチユニット４０は、ベース４１と、ベース４１の前面凹部に嵌めこんだ基板４２と、ベース４１の前面に重ねた弾性シート４４とからなり、基板４２の外表面は当該基板の周辺を囲むベース４１の前面と面一になっている。スイッチユニット４０は、弾性シート４４の平坦部をケース２の後部に形成したユニット収納部５の底面６に当接させて収納してある。
基板４２の前面には、それぞれ対となった３組のスイッチ接点４３（４３ａ、４３ｂ、４３ｃ）が、ケース２の前面から見てケース２の中心を横切る一直線上に配置され、中央の組がケース２の中心に位置している。
【００１４】
弾性シート４４はスイッチ接点４３の各組に対応させて、前方へ突出するコーン部４５および碗部４６を備えており、コーン部４５は中央のスイッチ接点４３ａに対応している。コーン部４５および碗部４６は各頂部にブロック部４７を有している。各ブロック部４７はその軸方向前端および後端が弾性シート４４の平坦部と平行な平坦面となっており、後端にはそれぞれ対応するスイッチ接点４３に対向する導通接点４８を可動接点として設けてある。コーン部４５および碗部４６の自由状態において、各導通接点４８は対向するスイッチ接点４３から離間している。
ユニット収納部５の底面６にはコーン部４５および碗部４６を受け入れる空間が形成してあり、ケース２の中心を中心とするリング壁７により、コーン部４５を受け入れる第１可動接点収容空間８と碗部４６を受け入れる第２可動接点収容空間９とに区画されている。
【００１５】
ケース２は前面側に本体３と一体にモールドされた色違いのガイドリング１０を備えている。ガイドリング１０は本体３の中心を中心とし、ガイドリング１０の内側がノブ収納凹部１１となっている。ガイドリング１０の前端は本体３の前面より所定量突出している。
ノブ収納凹部１１の底壁１２からは、ガイドリング１０と同軸に保持筒部１３が所定長さ前方へ延び、その前端はガイドリング１０の前端よりも突出している。保持筒部１３の筒穴１４は底壁１２を貫通して、コーン部４５を受け入れる第１可動接点収容空間８に開口している。この開口の穴径はリング壁７の内径よりも小さい。
【００１６】
ノブ５０の後述するムービングブロック７０の内筒７２を保持筒部１３に挿入した状態で、ノブ５０の後端（後述の押圧筒９３）が弾性シート４４のコーン部４５のブロック部４７に着座している。
保持筒部１３の筒穴１４より大径のフランジ１０２を備える抜け止めストッパ１００が第１可動接点収容空間８側から筒穴１４内へ挿入され、ムービングブロック７０に係止されることにより、フランジ１０２が第１可動接点収容空間８の底面８ａに係合してノブ５０の抜け止めとなっている。
【００１７】
ノブ５０は、後述のクリック機構のスプリングにより前方へ付勢されており、ノブ５０が後方へ押圧されていない自由状態において、ムービングブロック７０に係止された抜け止めストッパ１００のフランジ１０２は第１可動接点収容空間８の底面８ａに当接して、これによりノブ５０のケース２からの突出位置が保持されている。
ケース２の前面には、ガイドリング１０を囲む穴２３を有する飾りカバー２２が取り付けられ、穴２３にはガイドリング１０の前端の大部分を露出させるように当該前端にわずかに被さる飾りリング２４が取り付けられている。
【００１８】
弾性シート４４の碗部４６を受け入れる第２可動接点収容空間９とノブ収納凹部１１の間には、碗部４６に対応させてガイド孔２５が設けられている。フランジ３８を備えるプランジャ３７が第２可動接点収容空間９側からガイド孔２５に挿入され、プランジャ３７のフランジ３８は碗部４６のブロック部４７に着座し、碗部４６により前方へ付勢されている。自由状態において、フランジ３８は第２可動接点収容空間９の底面９ａに当接して、プランジャ３７の先端がガイド孔２５より前方へ突出している。
ムービングブロック７０の後述する張出し筒部７４の後端縁には、プランジャ３７の先端と当接可能にカム面８６（図４の（ｂ）参照）が形成されている。
【００１９】
以上の構成により、ノブ５０を軸方向すなわち後方へ押し込むことにより、ノブ５０の後端がコーン部４５を撓ませてその導通接点４８をスイッチ接点４３ａに接触させ、対のスイッチ接点４３ａを通電状態とする。
また、ノブ５０を一方向または他方向へ回すことによりカム面８６がプランジャ３７の先端に当接してプランジャ３７を後方へスライドさせ、これにより一方または他方の碗部４６を撓ませてその導通接点４８をスイッチ接点４３ｂあるいは４３ｃに接触させ、これらそれぞれ対のスイッチ接点を通電状態とする。
ここでは、ノブ５０の回動幅は各方向それぞれ３０°とする。
【００２０】
以下、各部品の構成について詳細に説明する。
まず、ノブ５０は、コーン部４５および碗部４６を直接あるいはプランジャ３７を介して撓ませスイッチユニット４０に作用するムービングブロック７０と、ムービングブロック７０の前側に被さって操作者が指を触れるノブキャップ５１とからなっている。
ノブキャップ５１は従来例で示した前外壁部に対応し、ムービングブロック７０は機能部位に対応するが、ノブキャップ５１とムービングブロック７０は一体にモールドされず、それぞれ別部品として樹脂成形される。
ノブキャップ５１は外観向上のためその外表面をメッキまたは塗装されている。
【００２１】
図２の（ａ）はノブキャップ５１を前方から見た正面図、（ｂ）は側面図である。図３の（ｃ）はノブキャップ５１を後方から見た裏面図、（ｄ）は（ｃ）におけるＡ−Ａ部断面図、（ｅ）は（ｄ）におけるＢ部拡大断面図である。
ノブキャップ５１は底壁５２と側壁５３からなる薄肉壁の鍋形状を基本形とする。側壁５３は、とくに図３の（ｄ）に示すように、底壁５２に連なる主側壁５４と、後部（開口側）の拡径部５６と、主側壁５４と拡径部５６間をつなぐ傾斜壁５５とからなる２段形状である。
図２の（ａ）に示すように、正面から見たノブキャップ５１の外観は、側壁５３（主側壁５４）から底壁５２にかかる部分を内方へ窪ませた凹部５７が軸心を中心とする周方向に均等に形成されるとともに、凹部５７に突条５８を設けて、ノブ５０を回すときの指掛かりとしている。
【００２２】
図３の（ｃ）に示すように、側壁の拡径部５６における開口端の内面には、周方向３等分位置に爪６０（６０ａ、６０ｂ、６０ｃ）が設けられている。爪６０の後部は、図３の（ｄ）に示すように、前方へ行くほど拡径部５６の内面からの高さが大きくなる傾斜面６１となっている。
また、底壁５２の内面には、軸心Ｇを中心とする所定の円周上、３等分位置に突起６３が設けられている。とくに図３の（ｅ）に示すように、突起６３の後方へ向いた先端は、軸心Ｇに近づくほど底壁５２からの高さが高くなる傾斜面６４となっている。
上記所定の円周は、ムービングブロック７０の後述する前壁７１の内周縁と同径で、その円が傾斜面６４の中央を通るように設定されている。
爪６０と底壁５２の突起６３の配置は、軸心Ｇを中心とする角度で６０°ずらせてある。
【００２３】
図３の（ｃ）および（ｄ）に示すように、ノブキャップ５１の側壁５３にはさらに規制ロッド６５が設けられている。規制ロッド６５は１つの爪６０ａを挟んだ両側において、主側壁５４と傾斜壁５５にまたがる部位から軸心と平行に後方へ延びて、拡径部５６の開口端から突出している。
規制ロッド６５の横断面は軸心を中心とする円周に沿ったブロック状で、上記の爪６０ａ側がＬ字形に曲がって幅広面６６を形成している。
ここでは、２本の規制ロッド６５の各幅広面６６と反対側の端縁と軸心を結ぶ線がなす角度を１２０°としてある。
【００２４】
次に、図４の（ａ）はムービングブロック７０を前方から見た正面図、（ｂ）は側面図である。図５の（ｃ）はムービングブロック７０を後方から見た裏面図、（ｄ）は（ｃ）におけるＣ−Ｃ部断面図である。
ムービングブロック７０はリング状の前壁７１と、前壁７１の内周縁から後方へ延びる内筒７２と、前壁７１の外周縁から後方へ延びる外筒７３を有し、外筒７３は内筒７２よりも短い。
外筒７３の軸方向前半の外周面はノブキャップ５１の主側壁５４の内面に略沿っており、軸方向のビード７９が形成されているとともに、前壁７１側はノブキャップ５１の凹部５７との干渉を避けて傾斜面となっている。外筒７３の軸方向後半は軸方向中間から後方へ延びる張出し筒部７４により囲まれている。
【００２５】
張出し筒部７４はその外周面がノブキャップ５１の傾斜壁５５の内面に略沿う傾斜部７５と、ノブキャップ５１の拡径部５６の内面に整合する外径をもつ嵌合部７６と、拡径部５６よりもさらに延びて外周面が拡径部５６の外周面と面一になる外径をもつとともに拡径部５６の開口端面に対向する段差面７８を備える肩部７７とからなる。
以上のように、ムービングブロック７０はいずれも薄壁状の前壁７１、内筒７２、外筒７３および張出し筒部７４からなり、とくに内筒７２の内側の大容積空間のほか、内筒７２と外筒７３間の空間および外筒７３と張出し筒部７４間の空間の各部分が肉抜きされた形態となっている。
【００２６】
嵌合部７６には、軸心を中心とする周方向３等分位置にノブキャップ５１の爪６０に対応する係止穴８０が形成されている。係止穴８０の周方向幅は爪６０の周方向幅より大きく設定してある。
ムービングブロック７０にはまた、図４の（ａ）におけるＤ−Ｄ部断面図である図６に示すように、外筒７３の外周面を切り欠くとともに、張出し筒部７４の傾斜部７５を含み外筒７３との接続部を貫通して軸心と平行に延びる貫通路８２が、ノブキャップ５１の規制ロッド６５に対応させて形成されている。貫通路８２の周方向幅は規制ロッド６５の周方向幅と整合させてある。
以下の説明では、図４の（ａ）、図５の（ｃ）において２つの貫通路８２間の周方向中間点と軸心を通る直線を基準線Ｃｍとして説明する。
【００２７】
図５の（ｃ）の裏面図の基準線Ｃｍに対して垂直な直径線上において、張出し筒部７４の肩部７７には周方向所定幅の第１切り欠き８４（図４の（ｂ）も参照）が形成されている。この第１切り欠き８４は、ケース２に組み付けられたノブ５０の回転方向中立位置においてプランジャ３７に対向しており、ノブ５０を押し込んだときに肩部７７が干渉して当該プランジャ３７を押さないようにするためのものである。
【００２８】
図４の（ｂ）に示すように、第１切り欠き８４に隣接して、周方向貫通路８２がある側の肩部７７の先端（後端縁）には、プランジャ３７の先端と当接するカム面８６が形成されている。
肩部７７にはまた、第１切り欠き８４に連なって、カム面８６と反対側に所定角度範囲にわたる第２切り欠き８５が形成されている。これは一方のカム面８６が一方のプランジャ３７を押し込んでいる間、他方のプランジャ３７を押し込まないようにするためである。
【００２９】
図５の（ｃ）に示すように、裏面からは、貫通路８２が外筒７３と張出し筒部７４の間に形成された矩形穴に見える。
外筒７３と張出し筒部７４の間には、矩形穴の貫通路８２のそれぞれ隣接する第１切り欠き８４に近い側の辺に沿って支持壁８８が張り渡されており、貫通路８２に挿入された規制ロッド６５の幅広面６６と反対側の端に当接するようになっている。
【００３０】
外筒７３の後端縁には、Ｖ字形状（図１３参照）に切り欠いたクリックカム面９０が軸心を挟んだ対象位置に形成され、その谷底が基準線Ｃｍ上に位置している。谷底を挟んだクリックカム面９０の周方向幅は片側それぞれ３０°より大きく設定されている。
【００３１】
図５の（ｄ）に示すように、内筒７２は、成形時の型抜きを容易にするため、前部（前壁７１側）を大径、後部を前部よりもわずかに小径とし、中間を傾斜部としている。
内筒７２の後端近くには隔壁９２が設けられ、隔壁９２からは軸心上を後方へ押圧筒９３が内筒７２の後端より突出して延びている。押圧筒９３には隔壁９２の前方と後方を連通する貫通孔９４が形成されている。
図４の（ａ）、図５の（ｃ）にも示すように、隔壁９２には、内筒７２の内面に接して周方向３等分位置に係止穴９５が形成され、抜け止めストッパ１００が係止されるようになっている。
【００３２】
以上のように構成されたノブキャップ５１とムービングブロック７０は、ノブキャップ５１をその２本の規制ロッド６５をムービングブロック７０の貫通路８２に沿わせてスライドさせながら、前方からムービングブロック７０に被せて結合する。
図７はノブキャップ５１とムービングブロック７０を結合して一体化したノブ５０の断面図である。
ムービングブロック７０に対してノブキャップ５１をスライドさせていくと、相対的にムービングブロック７０の前壁７１がノブキャップ５１の底壁５２に接近する。底壁５２にはムービングブロック７０の前壁７１の内周縁に対応する円周上の３等分位置に突起６３が設けてあるので、ノブキャップ５１をさらにスライドさせると、前壁７１の内周縁の角が突起６３先端の傾斜面６４に当接して、ムービングブロック７０の前端がノブキャップ５１の軸心上に自動的に芯合わせされる。
【００３３】
これと同時に、ノブキャップ５１後端の拡径部５６に設けられた爪６０が、ムービングブロック７０の張出し筒部７４における傾斜部７５に乗り上げた後、嵌合部７６の係止穴８０に入って係止される。
これによりノブキャップ５１とムービングブロック７０は軸心が一致するとともに、軸方向がガタなく一体となる。
また、ノブキャップ５１の開口端縁（拡径部５６の端面）はムービングブロック７０の肩部７７の段差面７８に当接する。
【００３４】
この際、先の図３の（ｃ）に示したように２本の規制ロッド６５は軸心を挟んで対象位置にはないので、規制ロッド６５をムービングブロック７０の貫通路８２に挿入、スライドさせることによりノブキャップ５１とムービングブロック７０の回転方向の位置決めを誤ることはない。
ムービングブロック７０の係止穴８０はノブキャップ５１の爪６０の周方向幅より広いから、ノブキャップ５１の規制ロッド６５を貫通路８２に沿ってスライドすれば、爪６０は係止穴８０から逸れることなく確実に係止される。
そして、貫通路８２の周方向幅は規制ロッド６５の周方向幅と整合させてあるので、これによりノブキャップ５１とムービングブロック７０は回転方向にも一体となる。
後掲の図１１に示されるように、規制ロッド６５の幅広面６６と反対側の端が外筒７３と張出し筒部７４の間に形成された支持壁８８に当接している。
【００３５】
次に、図８はケース２を前方から見た正面図である。
以下、図における保持筒部１３の中心（軸線）を通る垂直な線を基準線Ｃｃとして、説明する。
保持筒部１３を同軸のガイドリング１０が囲んで、ノブ収納凹部１１となっている。
なお、保持筒部１３の筒穴１４は１２角の多角形となっており、ムービングブロック７０の内筒７２との接触面積を少なくしてノブ５０を回動させる際の抵抗を低減している。
ノブ収納凹部１１の底壁１２には、基準線Ｃｃに垂直な直径線上に、ガイドリング１０の内面に近接して、プランジャ３７を挿入するガイド孔２５が設けられている。
ノブ収納凹部１１の底壁１２からは、基準線Ｃｃ上に、保持筒部１３の周方向に平行なストッパ壁２７が前方へ立ち上がっている。なお、図８の正面図では手前側が前方である。
ストッパ壁２７の軸心からの位置は、ムービングブロック７０における外筒７３と張出し筒部７４間の空間に対応している。
【００３６】
図９に示すように、ストッパ壁２７と保持筒部１３の間に位置して、底壁１２から後方へスプリングホルダ２９が形成され、クリック機構用のスプリング３１（図１３参照）を収納するスプリング孔３０が前方に開口している。
図８および図９に示すように、保持筒部１３の外周には、ストッパ壁２７に対向して、クリックボール３５（図１３参照）を軸方向にガイドする溝３３を備えるボールガイド３２が設けられている。溝３３は部分円筒面をなしている。
ストッパ壁２７も、保持筒部１３に対向する面に、部分円筒面の溝３４を備えて、ボールガイド３２と協同してクリックボール３５を軸方向移動可能に保持するボール保持部を形成している。
スプリング３１およびクリックボール３５は、外筒７３のクリックカム面９０と協同してクリック機構を構成する。
【００３７】
図１０は抜け止めストッパ１００を拡大して示し、（ａ）は正面図、（ｂ）は側面図、（ｃ）は（ａ）におけるＥ−Ｅ部断面図である。
抜け止めストッパ１００は、円筒部１０１の一端から外方に延びたフランジ１０２を備え、円筒部１０１の端縁からフランジ１０２側へオフセットした位置から他方へ延びる脚片１０３の先端に爪１０４を有している。ここでは脚片１０３は隔壁９２の係止穴９５に対応して３本である。
また、フランジ１０２の円筒部１０１側の面には周方向等分３箇所に突部１０５を有している。
第１可動接点収容空間８側から円筒部１０１を筒穴１４内へ挿入し、脚片１０３を隔壁９２の係止穴９５に挿入して爪１０４を隔壁９２の前面に係止させる。これにより、抜け止めストッパ１００はムービングブロック７０と連結され、フランジ１０２は突部１０５で第１可動接点収容空間８の底面８ａに当接して、ノブ５０の抜け止めとなる。
【００３８】
ノブ５０はケース２の基準線Ｃｃとムービングブロック７０の基準線Ｃｍを一致させてケース２に組み付けられ、自由状態において、軸方向では先の図１に示した状態となる。
保持筒部１３の前端とムービングブロック７０の前壁７１との間隙は、ノブ５０を押し込む際のストローク長よりも大きく設定してあり、導通接点４８がスイッチ接点４３に接触する前に保持筒部１３と前壁７１が当接しないようになっている。
図１１は、ノブ５０とケース２の関係を示す正面透視図である。
自由状態において、回転方向では、図１１の（ａ）に示すように、ノブ５０から延びる規制ロッド６５がケース２のストッパ壁２７から離間している。
そして、図１４の（ａ）に示すように、ノブ５０（ムービングブロック７０）の肩部７７のカム面８６はプランジャ３７から外れ、プランジャ３７はカム面８６に隣接する第１切り欠き８４に対向している。なお、図１４は肩部７７の外周に沿って外方から見ている。
【００３９】
図１２はノブ５０を押し込んだ状態を示す。
ムービングブロック７０の押圧筒９３の後端がコーン部４５を撓ませてその導通接点４８をスイッチ接点４３ａに接触させ、スイッチ接点４３ａを通電状態とする。
このとき、プランジャ３７は張出し筒部７４の第１切り欠き８４に対向しているので、ムービングブロック７０が後方（図中、下方）へ移動してもプランジャ３７は押し込まれず、碗部４６が撓んでスイッチ接点４３ｂや４３ｃが通電状態となることはない。
【００４０】
図１３はクリック機構の作動を示し、ムービングブロック７０の外筒７３はその外周に沿って外方から見ている。
図１３の（ａ）は自由状態を示し、スプリング３１により前方へ付勢されたクリックボール３２が、外筒７３に形成されたクリックカム面９０の谷底に位置しており、これにより、ノブ５０をケース２からの突出位置に保持している。
ノブ５０を指で押し込むと、図１３の（ｂ）に示すように、クリックボール３２をクリックカム面９０の谷底に位置させたまま、外筒７３がスプリング３１を圧縮する。矢示は外筒７３の移動方向を示している。
指を離せばスプリング３１の付勢力によりノブ５０は自由状態へ戻り、スイッチ接点４３ａは非通電状態となる。
【００４１】
今度はノブ５０を一方向（図１１において反時計方向）へ回動させると、ムービングブロック７０の肩部７７の図１１における左方のカム面８６がプランジャ３７上にきて、図１４の（ｂ）に示すように、プランジャ３７が押し込まれる。碗部４６を撓ませてその導通接点４８をスイッチ接点４３ｂに接触させ、スイッチ接点４３ｂを通電状態とする。
押し込まれた側と反対側の他方のプランジャ３７は、第２切り欠き８５の領域に入るので、押し込まれることはない。
ノブ５０を自由状態から３０°回動させた位置で、図１１の（ｂ）に示すように、規制ロッド６５がストッパ壁２７に当接するので、ノブ５０をそれ以上回動させることはできない。この際、規制ロッド６５は幅広面６６を備えているので確実にストッパ壁２７に当接する。
【００４２】
また、規制ロッド６５は操作者が触れるノブキャップ５１から延びているので、操作者は規制ロッド６５が回動規制位置のストッパ壁２７に当接したことを直接感知することができ、他部材を介する場合にガタが生じるのとは異なり、高い精密感が得られる。
なお、ムービングブロック７０には規制ロッド６５を裏打ち支持する支持壁８８が設けられているので、誤ってさらに回動しようとする力がノブ５０に加わったときでも、規制ロッド６５が破損するおそれはない。
【００４３】
ノブ５０を回動させる間、クリック機構ではクリックカム面９０がクリックボール３２を介してスプリング３１を圧縮していくが、規制ロッド６５がストッパ壁２７に当接した位置でも、図１３の（ｃ）に示すように、クリックボール３２がクリックカム面９０の傾斜面上にあるように設定されているので、スイッチ接点４３ｂを通電状態としたあと、回動力を緩めればノブ５０は自動的に自由状態へ戻る。
ノブ５０を他方向へ回動させた場合も同様であり、スイッチ接点４３ｃが通電状態となる。
【００４４】
本実施の形態では、前壁７１の内周縁の角が発明におけるムービングブロックの端縁の角に該当し、張出し筒部７４が膨出部に該当する。内筒７２の筒穴が凹部に該当する。
貫通路８２が係合部に該当する。
また、ケース２が固定部材に該当し、ストッパ壁２７がストッパに該当する。
【００４５】
実施の形態は以上のように構成され、ノブ５０が、底壁５２と側壁５３を有するノブキャップ５１と、肉抜き形状を有して該ノブキャップ５１の内側に嵌めこまれたムービングブロック７０とからなり、ノブキャップ５１の側壁５３の開口端側に径方向内方に向かう爪６０が設けられるとともに、底壁５２の内面には、底壁５２に対向するムービングブロック７０の前壁７１の内周縁の角に対応する円周上において軸心を囲む３位置に突起６３が設けられ、該突起６３は底壁５２の内面からの高さが径方向に変化する傾斜面６４を有し、ムービングブロック７０はノブキャップ５１の側壁５３の開口端側の内面に沿う外周面を有し、該外周面には爪６０に対応する係止穴８０が設けられて、爪６０が係止穴８０に係止されてノブキャップ５１とムービングブロック７０が軸方向に一体化するとともに、ムービングブロック７０の前壁７１の内周縁の角が突起６３の傾斜面６４に当接しているものとしたので、ムービングブロック７０は前壁７１の内周縁の角が傾斜面６４に案内されてノブキャップ５１の軸心上に自動的に芯合わせされるとともに、軸方向がガタなくノブキャップ５１と一体になる。
【００４６】
また、ノブキャップ５１とムービングブロック７０は爪６０と係止穴８０の係止だけで一体化されるので、接着剤の使用が不要で、低コストで製作でき、作業工数も少なくて済む。
ノブキャップ５１とムービングブロック７０は個別に成形されて、ノブキャップ５１だけ塗装することが可能であるから、マスキングの必要なしに、非塗装のムービングブロック７０に対し明確な塗装の境界線が得られる。
また、ムービングブロック７０の前壁７１は肉抜きによりリング状に残った部分であり、その内周縁の角を傾斜面６４に当接させるから、芯合わせ用に別途の穴を設ける必要もない。
【００４７】
ノブキャップ５１にはさらに軸心から離間した位置から軸方向に延びる規制ロッド６５が設けられ、ムービングブロック７０には規制ロッド６５と周方向に係合する貫通路８２が設けられているので、ノブキャップ５１とムービングブロック７０は回転方向にも確実に一体となり、ノブキャップ５１に大きな回動操作力が加えられた場合でもムービングブロック７０に対して空回りするおそれはない。
とくに、貫通路８２が径方向に膨らんだ張出し筒部７４に設けられ、規制ロッド６５がノブキャップ５１の開口端から突出し貫通路８２を貫通して、規制ロッド６５の先端が、ノブキャップ５１を軸周りに所定角度回動させたときにケース２側のストッパ壁２７に当接する回動側ストッパを構成するので、操作者は回動規制位置をノブキャップ５１から直接感知することができ、ガタのない高い精密感が得られる。
また、規制ロッド６５はストッパ壁２７に当接する側を幅広面６６としてあるので、ストッパ壁２７が薄壁形状であっても回動規制位置で確実にストッパ壁２７に当接する。
【００４８】
さらにムービングブロック７０には、規制ロッド６５のストッパ壁２７に当接する端とは反対側の端に当接する支持壁８８が設けてあるので、ノブ５０に過大な回動力が加わった場合でも規制ロッド６５が破損するおそれがない。
また、規制ロッド６５は、ノブキャップ５１の軸心を挟んだ対象位置から外れた位置に２本設けてあるので、ノブキャップ５１に加えられた回動力を確実にムービングブロック７０に伝達することができる。そして、設定された角度位置でしかムービングブロック７０の貫通路８２に挿入できないから、ムービングブロック７０に対するノブキャップ５１の位置決めが容易である。
【００４９】
なお、実施の形態はあくまでも例示であり、ノブキャップ５１やムービングブロック７０等の具体的形状は図示のものに限定されない。ノブキャップ５１における爪６０や突起６３の個数はそれぞれ４以上でもよいし、規制ロッド６５もノブの回動方向に応じて１本にしてもよく、あるいは回動負荷に応じて３本以上としてもよい。
スイッチ装置１はノブ５０の押し込みにより通電状態となるスイッチ接点４３ａと、ノブ５０の回動により通電状態となるスイッチ接点４３ｂ、４３ｃを備える３回路切替えのものとしたが、これに限定されず、本発明のノブは種々のスイッチ装置に適用されるほか、スイッチ装置用以外でも、肉抜きにより軽量化とコスト低減を図りたい種々のノブに適用可能である。
【符号の説明】
【００５０】
１    スイッチ装置
２    ケース
３    本体
５    ユニット収納部
６    底面
７    リング壁
８    第１可動接点収容空間
８ａ、９ａ    底面
９    第２可動接点収容空間
１０    ガイドリング
１１    ノブ収納凹部
１２    底壁
１３    保持筒部
１４    筒穴
２２    飾りカバー
２３    穴
２４    飾りリング
２５    ガイド孔
２７    ストッパ壁
２９    スプリングホルダ
３０    スプリング孔
３１    スプリング
３２    ボールガイド
３３、３４    溝
３５    クリックボール
３７    プランジャ
３８    フランジ
４０    スイッチユニット
４１    ベース
４２    基板
４３ａ、４３ｂ、４３ｃ    スイッチ接点
４４    弾性シート
４５    コーン部
４６    碗部
４７    ブロック部
４８    導通接点
５０    ノブ
５１    ノブキャップ
５２    底壁
５３    側壁
５４    主側壁
５５    傾斜壁
５６    拡径部
５７    凹部
５８    突条
６０、６０ａ、６０ｂ、６０ｃ    爪
６１    傾斜面
６３    突起
６４    傾斜面
６５    規制ロッド
６６    幅広面
７０    ムービングブロック
７１    前壁
７２    内筒
７３    外筒
７４    張出し筒部
７５    傾斜部
７６    嵌合部
７７    肩部
７８    段差面
７９    ビード
８０    係止穴
８２    貫通路
８４    第１切り欠き
８５    第２切り欠き
８６    カム面
８８    支持壁
９０    クリックカム面
９２    隔壁
９３    押圧筒
９４    貫通孔
９５    係止穴
１００    抜け止めストッパ
１０１    円筒部
１０２    フランジ
１０３    脚片
１０４    爪
１０５    突部
【図１】
2011040280.tif 000003
【図２】
2011040280.tif 000004
【図３】
2011040280.tif 000005
【図４】
2011040280.tif 000006
【図５】
2011040280.tif 000007
【図６】
2011040280.tif 000008
【図７】
2011040280.tif 000009
【図８】
2011040280.tif 000010
【図９】
2011040280.tif 000011
【図１０】
2011040280.tif 000012
【図１１】
2011040280.tif 000013
【図１２】
2011040280.tif 000014
【図１３】
2011040280.tif 000015
【図１４】
2011040280.tif 000016
【図１５】
2011040280.tif 000017